【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
装置であって、
第１のユーザ装置（UE）と１つ以上の第２のUEとの間の直接通信（D2D）を確立するために、前記第１のUEにより使用される上りリンク（UL）フレームの一部を選択し、
タイミング情報及び同期源タイプ情報を生成し、前記タイミング情報は、前記第１のUEと前記１つ以上の第２のUEとを同期させるために使用され、
前記タイミング情報を有する同期信号を送信し、前記タイミング情報は、前記第１のUEにより使用される前記ULフレームの前記一部に含まれ、
前記第１のUEは、ローカル同期エリアにおいて参照源として動作する装置。
【請求項２】
前記１つ以上の第２のUEから導出された同期情報と独立した第１のタイミング時点で前記同期信号を送信するように更に構成される、請求項１に記載の装置。
【請求項３】
前記同期信号に構成された前記同期源タイプ情報に基づいて、同期源として動作するように前記第１のUEを構成するように更に構成される、請求項２に記載の装置。
【請求項４】
前記第１のUEにより使用される前記ULフレームの前記一部は、周波数分割多重のために構成された複数の物理リソースブロック（PRB）に関連する論理周波数サブチャネルを有する、請求項１に記載の装置。
【請求項５】
前記１つ以上の第２のUEから、前記ローカル同期エリア外の第３のUEの検出を示す信号を受信し、前記同期信号を再送信することにより前記ローカル同期エリアを拡張するように前記１つ以上の第２のUEのうち選択されたものを構成するように更に構成され、前記第１のUEは、独立同期源になり、前記１つ以上の第２のUEのうち前記選択されたものは、前記第１のUEから同期を導出することに依存する地域同期源になる、請求項１に記載の装置。
【請求項６】
前記１つ以上の第２のUEから、前記ローカル同期エリア外の第２の無線通信デバイスの検出を示す信号を受信するように更に構成され、前記１つ以上の第２のUEは、前記同期信号を再送信することにより前記ローカル同期エリアを自律的に拡張し、前記第１のUEは、独立同期源になり、前記１つ以上の第２のUEは、前記第１のUEから同期を導出することに依存する地域同期源になる、請求項１に記載の装置。
【請求項７】
前記ローカル同期エリアと少なくとも部分的に重複するリモート同期エリアとの干渉を回避するため、１つ以上の第２のUEから、前記ULフレームの前記選択された一部を異なるサブチャネル、タイムスロット又はサブフレームに変更する要求を受信し、
前記要求に応じて、前記同期信号の送信を前記異なるサブチャネル、タイムスロット又はサブフレームに変更するように更に構成される、請求項１に記載の装置。
【請求項８】
前記ローカル同期エリアと少なくとも部分的に重複するリモート同期エリアとの干渉を決定し、
前記干渉に応じて、前記同期信号の送信を異なるサブチャネル、タイムスロット又はサブフレームに自律的に変更するように更に構成される、請求項１に記載の装置。
【請求項９】
前記第１のUEは、前記ローカル同期エリアにおいて第１の参照源として構成された第１のピア無線ヘッドであり、
前記装置は、
前記ローカル同期エリアへの第２のピア無線ヘッドの加入を検出するように更に構成され、前記第２のピア無線ヘッドは、リモート同期エリアにおいて第２の参照源として構成され、
前記ローカル同期エリア及び前記リモート同期エリアの共通の参照源を確立するために、前記第２の無線ヘッドと同期するように更に構成される、請求項１に記載の装置。
【請求項１０】
前記ULサブフレーム、タイムスロット又はサブフレームの異なるサブチャネルで、前記第２のピア無線ヘッドから同期情報を受信し、
前記第２のピア無線ヘッドからの前記同期情報に基づいて、前記ローカル同期エリアにおいて無線通信デバイスのグループに同期するための前記タイミング情報を導出するように更に構成される、請求項９に記載の装置。
【請求項１１】
処理回路を有するユーザ装置（UE）であって、
前記処理回路は、
前記UEと１つ以上の他のUEとの間の直接通信（D2D）を確立するために、前記UEにより使用される上りリンク（UL）フレームの一部を選択し、
タイミング情報及び同期源タイプ情報を生成し、前記タイミング情報は、前記UEと前記１つ以上の他のUEとを同期させるために使用され、
前記タイミング情報を有する同期信号を送信し、前記タイミング情報は、前記UEにより使用される前記ULフレームの前記一部に含まれ、
前記UEは、ローカル同期エリアにおいて参照源として動作するUE。
【請求項１２】
前記処理回路は、前記１つ以上の他のUEから導出された同期情報と独立した第１のタイミング時点で前記同期信号を送信するように更に構成される、請求項１１に記載のUE。
【請求項１３】
前記処理回路は、前記同期信号に構成された前記同期源タイプ情報に基づいて、同期源として動作するように前記UEを構成するように更に構成される、請求項１２に記載のUE。
【請求項１４】
前記UEにより使用される前記ULフレームの前記一部は、周波数分割多重のために構成された複数の物理リソースブロック（PRB）に関連する論理周波数サブチャネルを有する、請求項１１に記載のUE。
【請求項１５】
前記処理回路は、前記１つ以上の他のUEから、前記ローカル同期エリア外の無線デバイスの検出を示す信号を受信し、前記同期信号を再送信することにより前記ローカル同期エリアを拡張するように前記１つ以上の他のUEのうち選択されたものを構成するように更に構成され、前記UEは、独立同期源になり、前記１つ以上の他のUEのうち前記選択されたものは、前記UEから同期を導出することに依存する地域同期源になる、請求項１１に記載のUE。
【請求項１６】
前記処理回路は、前記１つ以上の他のUEから、前記ローカル同期エリア外の無線通信デバイスの検出を示す信号を受信するように更に構成され、前記１つ以上の他のUEは、前記同期信号を再送信することにより前記ローカル同期エリアを自律的に拡張し、前記UEは、独立同期源になり、前記１つ以上の他のUEは、前記UEから同期を導出することに依存する地域同期源になる、請求項１１に記載のUE。
【請求項１７】
前記処理回路は、
前記ローカル同期エリアと少なくとも部分的に重複するリモート同期エリアとの干渉を回避するため、１つ以上の他のUEから、前記ULフレームの前記選択された一部を異なるサブチャネル、タイムスロット又はサブフレームに変更する要求を受信し、
前記要求に応じて、前記同期信号の送信を前記異なるサブチャネル、タイムスロット又はサブフレームに変更するように更に構成される、請求項１１に記載のUE。
【請求項１８】
前記処理回路は、
前記ローカル同期エリアと少なくとも部分的に重複するリモート同期エリアとの干渉を決定し、
前記干渉に応じて、前記同期信号の送信を異なるサブチャネル、タイムスロット又はサブフレームに自律的に変更するように更に構成される、請求項１１に記載のUE。
【請求項１９】
前記UEは、前記ローカル同期エリアにおいて第１の参照源として構成された第１のピア無線ヘッドであり、
前記処理回路は、
前記ローカル同期エリアへの第２のピア無線ヘッドの加入を検出するように更に構成され、前記第２のピア無線ヘッドは、リモート同期エリアにおいて第２の参照源として構成され、
前記ローカル同期エリア及び前記リモート同期エリアの共通の参照源を確立するために、前記第２の無線ヘッドと同期するように更に構成される、請求項１１に記載のUE。
【請求項２０】
前記処理回路は、
前記ULサブフレーム、タイムスロット又はサブフレームの異なるサブチャネルで、前記第２のピア無線ヘッドから同期情報を受信し、
前記第２のピア無線ヘッドからの前記同期情報に基づいて、前記ローカル同期エリアにおいて無線通信デバイスのグループに同期するための前記タイミング情報を導出するように更に構成される、請求項１９に記載のUE。
【請求項２１】
ユーザ装置（UE）での方法を実現するために実行されるように適合されたコンピュータ読み取り可能プログラムコードを具現したコンピュータ読み取り可能記憶媒体を有するコンピュータプログラムであって、
前記方法は、
前記UEと１つ以上の他のUEとの間の直接通信（D2D）を確立するために、前記UEにより使用される上りリンク（UL）フレームの一部を選択するステップと、
タイミング情報及び同期源タイプ情報を生成するステップであり、前記タイミング情報は、前記UEと前記１つ以上の他のUEとを同期させるために使用されるステップと、
前記タイミング情報を有する同期信号を送信するステップであり、前記タイミング情報は、前記UEにより使用される前記ULフレームの前記一部に含まれるステップと
を有し、
前記UEは、ローカル同期エリアにおいて参照源として動作するコンピュータプログラム。
【請求項２２】
前記１つ以上の他のUEから導出された同期情報と独立した第１のタイミング時点で前記同期信号を送信するステップを更に有する、請求項２１に記載のコンピュータプログラム。
【請求項２３】
前記同期信号に構成された前記同期源タイプ情報に基づいて、同期源として動作するように前記UEを構成するステップを更に有する、請求項２２に記載のコンピュータプログラム。
【請求項２４】
請求項２１ないし２３のうちいずれか１項に記載のコンピュータプログラムを記憶したコンピュータ読み取り可能媒体。